(57)【特許請求の範囲】
【請求項１】
先端部に形成された釣糸結着部と該釣糸結着部から後方へ伸びるアームと該アームに回動可能に軸着されたブレイドと該ブレイドの後方に位置付けて該アームに軸着されたビーズと該アームの後端部に固着される錘と該錘に連結されるフックとからなるバズベイトルアーであって、前記ブレイドは該ブレイドの羽根部に立設された前方軸受片と後方軸受片とに前記アームを通して該アームの軸線方向に対して滑動可能に軸着されており、該後方軸受片は該アームが通る貫通孔が略楕円形状に形成されていると共に該ブレイドの羽根部に対して後方へ傾斜した状態で立設されており、該ブレイドに水流抵抗を受けていない状態にあっては当該ブレイドが該アームの軸線に対し偏心を繰り返して振れながら回転し、該ブレイドに水流抵抗を受けている状態にあっては当該ブレイドが該アームの軸線に対し偏心せずに回転することを特徴とするバズベイトルアー。
【請求項２】
先端部に形成された釣糸結着部と該釣糸結着部から後方へ二股状に伸びるアームと該二股状アームの一方のアームに回動可能に軸着されたブレイドと該ブレイドの後方に位置付けて該一方のアームに軸着されたビーズと該二股状アームの他方のアームの後端部に固着される錘と該錘に連結されるフックとからなるバズベイトルアーであって、前記ブレイドは該ブレイドの羽根部に立設された前方軸受片と後方軸受片とに前記一方のアームを通して該一方のアームの軸線方向に対して滑動可能に軸着されており、該後方軸受片は該一方のアームが通る貫通孔が略楕円形状に形成されていると共に該ブレイドの羽根部に対して後方へ傾斜した状態で立設されており、該ブレイドに水流抵抗を受けていない状態にあっては当該ブレイドが該アームの軸線に対し偏心を繰り返して振れながら回転し、該ブレイドに水流抵抗を受けている状態にあっては当該ブレイドが該アームの軸線に対し偏心せずに回転することを特徴とするバズベイトルアー。
【請求項３】
前記ブレイドにおける後方軸受片が羽根部に対して垂直に立設した状態から傾斜角５°≦θ≦３０°で後方へ傾斜している請求項１又は２記載のバズベイトルアー。
【発明の詳細な説明】
【０００１】
【発明の属する技術分野】
本発明は、釣りにおいて使用されるバズベイトルアーに関するものである。
【０００２】
【従来の技術】
周知の通り、釣りに使用される疑似餌の一種であるバズベイトルアーは、水面付近を泳動させた際に、該バズベイトルアーに備えられたブレイドが水流抵抗を受けて回転し、該ブレイドの回転によって発生する音と該ブレイド表面における光の反射により、魚の注意を引き付けて集魚効果を高めるものである。
【０００３】
図８に示す従来のバズベイトルアー１０１は、先端部に形成された釣糸結着部１０２と、該釣糸結着部１０２から後方へ二股状に伸びる一方の上側アーム１０３と他方の下側アーム１０４と、該上側アーム１０３に回動可能に軸着されたブレイド１０５と、該下側アーム１０４の後端部に固着される錘１０６と、該錘１０６に連結されるフック１０７とからなり、前記ブレイド１０５には、図９の（ａ）及び図９の（ｂ）に示すように、該ブレイド１０５の羽根部１０８に対して垂直に立設された前方軸受片１０９と後方軸受片１１０との元端部側に前記上側アーム１０３が通る真円形状の貫通孔１１１，１１２がそれぞれ穿設されている。
【０００４】
【発明が解決しようとする課題】
しかし、前記図８に示す従来のバズベイトルアーにおいては、ブレイドの前方軸受片と後方軸受片とに穿設された貫通孔が真円形状に形成されているため、該従来のバズベイトルアーを水面付近で泳動させると、該ブレイドの回転が単調になり、これに伴って該ブレイドの回転により発生する音も単調なものとなって必ずしも高い集魚効果が得られるものではなかった。
【０００５】
また、ブレイドを上側アームに対してスムーズに回転させるためには、該ブレイドに水流抵抗を受けている状態にあっては当該ブレイドが上側アームの軸線に対して偏心しないようにする必要があるため、該ブレイドの前方軸受片と後方軸受片とに設けられる貫通孔は、必然的に該前方軸受片と該後方軸受片の元端部側に設けられており、これによって該ブレイドを該上側アームに対してスムーズに回転させることができるが、該ブレイドが該上側アームの軸線に対し偏心することがないため、該ブレイドの回転により振動が生じることはなかった。
【０００６】
そこで、本発明者は、ブレイドに水流抵抗を受けていない状態にあっては該ブレイドの回転によって振動や激しい音が発生して高い集魚効果を発揮し、該ブレイドに水流抵抗を受けている状態にあっては当該ブレイドがアームに対してスムーズに回転するバズベイトルアーを得ることを技術的課題として、その具現化をはかるべく研究・実験を重ねた結果、ブレイドの後方軸受片のアームが通る貫通孔を略楕円形状に形成すると共に該後方軸受片をブレイドの羽根部に対して後方へ傾斜した状態で立設させれば、該ブレイドに水流抵抗を受けていない状態にあっては当該ブレイドが該アームの軸線に対して偏心を繰り返して振れながら回転して振動や激しい音が発生し、一方、該ブレイドに水流抵抗を受けている状態にあっては当該ブレイドが該アームの軸線に対して偏心せずにスムーズに回転するという刮目すべき知見を得、前記技術的課題を達成したものである。
【０００７】
【課題を解決するための手段】
前記技術的課題は、次の通りの本発明によって解決できる。
【０００８】
即ち、本発明に係るバズベイトルアーは、先端部に形成された釣糸結着部と該釣糸結着部から後方へ伸びるアームと該アームに回動可能に軸着されたブレイドと該ブレイドの後方に位置付けて該アームに軸着されたビーズと該アームの後端部に固着される錘と該錘に連結されるフックとからなるバズベイトルアーであって、前記ブレイドは該ブレイドの羽根部に立設された前方軸受片と後方軸受片とに前記アームを通して該アームの軸線方向に対して滑動可能に軸着されており、該後方軸受片は該アームが通る貫通孔が略楕円形状に形成されていると共に該ブレイドの羽根部に対して後方へ傾斜した状態で立設されており、該ブレイドに水流抵抗を受けていない状態にあっては当該ブレイドが該アームの軸線に対し偏心を繰り返して振れながら回転し、該ブレイドに水流抵抗を受けている状態にあっては当該ブレイドが該アームの軸線に対し偏心せずに回転するものである。
【０００９】
また、本発明に係るバズベイトルアーは、先端部に形成された釣糸結着部と該釣糸結着部から後方へ二股状に伸びるアームと該二股状アームの一方のアームに回動可能に軸着されたブレイドと該ブレイドの後方に位置付けて該一方のアームに軸着されたビーズと該二股状アームの他方のアームの後端部に固着される錘と該錘に連結されるフックとからなるバズベイトルアーであって、前記ブレイドは該ブレイドの羽根部に立設された前方軸受片と後方軸受片とに前記一方のアームを通して該一方のアームの軸線方向に対して滑動可能に軸着されており、該後方軸受片は該一方のアームが通る貫通孔が略楕円形状に形成されていると共に該ブレイドの羽根部に対して後方へ傾斜した状態で立設されており、該ブレイドに水流抵抗を受けていない状態にあっては当該ブレイドが該アームの軸線に対し偏心を繰り返して振れながら回転し、該ブレイドに水流抵抗を受けている状態にあっては当該ブレイドが該アームの軸線に対し偏心せずに回転するものである。
【００１０】
さらに、本発明は前記いずれかのバズベイトルアーにおいて、ブレイドにおける後方軸受片が羽根部に対して垂直に立設した状態から傾斜角５°≦θ≦３０°で後方へ傾斜しているものである。
【００１１】
【発明の実施の形態】
以下、本発明の実施の形態を図面に基づき説明する。
【００１２】
実施の形態１．
【００１３】
図１は本実施の形態に係るバズベイトルアーを示した側面図である。図２は図１に示すバズベイトルアーのブレイドを示した図であり、図２の（ａ）はブレイドを示した背面図であり、図２の（ｂ）はブレイドを示した側面図であり、図２の（ｃ）はブレイドを示した縦断面図である。図３は図１に示すバズベイトルアーの各泳動状態を示した説明図である。図４は図３に示すバズベイトルアーの各泳動状態におけるブレイドとアームとの位置関係を示した部分拡大断面図であり、図４の（ａ）は図３の（ａ）に示す泳動状態における部分拡大Ａ−Ａ断面図であると同時に、図３の（ｃ）に示す泳動状態における部分拡大Ｂ−Ｂ断面図であり、図４の（ｂ）は図３の（ｂ）に示す泳動状態における部分拡大縦断面図であり、図４の（ｃ）は図３の（ｄ）に示す泳動状態における部分拡大縦断面図である。これらの図において、１は、先端部に形成された釣糸を結び付ける釣糸結着部２と、該釣糸結着部２から後方へ二股状に伸びる一方の上側アーム（一方のアーム）３と他方の下側アーム（他方のアーム）４と、該上側アーム３に回動可能に軸着されたブレイド５と、該ブレイド５の前方に位置付けて該上側アーム３の軸線方向に対して滑動可能に軸着された小径球状ビーズ６と、該ブレイド５の後方に位置付けて該上側アーム３の軸線方向に対して滑動可能に軸着された大径球状ビーズ７と、該下側アーム４の後端部に固着された小魚状錘８と、該錘８の後端部に連結されるフック９と、該錘８の後部に装着されるスカート１０とからなるバズベイトルアーである。
【００１４】
前記上側アーム３は、釣糸結着部２から斜め上後方へ伸びる傾斜部１１と、該傾斜部１１の上端部から前記下側アーム４と略平行に後方へ伸びる軸部１２と、該軸部１２の後端部を屈曲してリング状に形成された後止部１３とからなり、該軸部１２の前側に軸着された小径球状ビーズ６は、傾斜部１１と軸部１２との接合部分によって前方への滑動が規制されており、該軸部１２の後側に軸着された大径球状ビーズ７は、後止部１３によって後方への滑動が規制されている。
【００１５】
前記ブレイド５は、図２の（ａ）及び図２の（ｂ）に示すように、略ハート形板状部材（図１参照）の一方の半円形状部分を表面側（図２の（ａ）において上側）に屈曲して一方の水受部１４ａを形成すると共に、他方の半円形状部分を裏面側（図２の（ａ）において下側）に屈曲して他方の水受部１４ｂを形成した羽根部１５と、該羽根部１５の先端部表面側に立設された前方軸受片１６と、該羽根部１５の両水受部１４ａ，１４ｂに挟まれる後端部裏面側に立設された後方軸受片１７とからなり、前記前方軸受片１６は、羽根部１５に対して垂直に立設されていると共に、前記上側アーム３が通る貫通孔１８が真円形状に形成されており、前記後方軸受片１７は、羽根部１５に対して垂直に立設した状態から傾斜角θ（図２の（ｂ）参照）で後方へ傾斜した状態で立設されていると共に、前記上側アーム３が通る貫通孔１９が後方軸受片１７の元端部１７ａから先端部１７ｂへ伸びる略楕円形状に形成されており、前記羽根部１５には、図２の（ｃ）に示すように、前方軸受片１６と後方軸受片１７とが軸着される上側アーム３の軸線上に略楕円形状の貫通孔２０（図１参照）が穿設されており、羽根部１５表面（図２の（ｃ）において上面）に貫通孔２０先端から前方軸受片１６に走るアームガイド溝２１が形成されていると共に、羽根部１５裏面（図２の（ｃ）において下面）に貫通孔２０後端から後方軸受片１６に走るアームガイド溝２２が形成されている。
【００１６】
そして、前記ブレイド５は、羽根部１５表面側に立設された前方軸受片１６の貫通孔１８に上側アーム３の軸部１２を通した後、該軸部１２を羽根部１５に穿設された貫通孔２０の表面側から裏面側に通し、さらに、該軸部１２を羽根部１５裏面側に立設された後方軸受片１７の貫通孔１９に通して該上側アーム３の軸線方向に対して滑動可能に軸着されており、該ブレイド５は、軸部１２に軸着された小径球状ビーズ６により前方への滑動が規制されていると共に、大径球状ビーズ７により後方への滑動が規制されている。
【００１７】
前記フック９は、図１に示すように、一方端が針状に形成されたステンレス等からなる棒状部材をし字状に屈曲して形成したものであり、他方端が錘８の後端部に連結されており、一方端が該錘８の後方上部に位置付けられている。
【００１８】
前記スカート１０は、ゴムや合成樹脂などからなる線状の軟質部材を束ねて形成したものであり、フック９を覆うように錘８の後部に装着されている。
【００１９】
次に、使用方法を説明する。
【００２０】
リールから伸びる釣糸の先端部を釣糸結着部２に結び付けてバズベイトルアー１をブラックバス等が生息している湖や池などにキャスティングする。キャスティングされたバズベイトルアー１は着水後、自重によって水面下に水没するが、リールで釣糸を巻き取ることにより、水面下でブレイド５の両水受部１４ａ，１４ｂに水流抵抗を受けてブレイド５を回転させながら水面付近へ浮上する。
【００２１】
水面付近まで浮上したバズベイトルアー１は、図３の（ａ）に示すように、錘８が固着された下側アーム４を水面下に位置付け、ブレイド５が軸着された上側アーム３を水面から突出させた泳動姿勢をとり、ブレイド５の一方の水受部１４ａを水面下に沈めた状態となる。この時、図４の（ａ）に示すように、ブレイド５の水受部１４ｂに水流抵抗（図中、矢印Ｘにて示す。）を受けている状態にあっては、ブレイド５が上側アーム３の後方に押されてブレイド５の後方軸受片１７後面が大径球状ビーズ７表面に当接し、さらに、後方軸受片１７がブレイド５の羽根部１５に対して後方へ傾斜して立設されているため、後方軸受片１７の元端部１７ａ側内壁が上側アーム３に接触するまで後方軸受片１７が大径球状ビーズ７表面を摺動すると共に、後方軸受片１７の傾斜幅Ｖだけブレイド５全体が上側アーム３の軸線方向に対して後方へ滑動し、上側アーム３の軸部１２が後方軸受片１７の元端部１７ａ側に位置付けられる。また、ブレイド５が滑動する際には、ブレイド５の前方軸受片１６及び後方軸受片１７と上側アーム３が擦れ合うため、接触音が生じる。
【００２２】
次に、水受部１４ｂが水流抵抗を受け流すことによりブレイド５が回転するため、バズベイトルアー１は、図３の（ｂ）に示すように、前記泳動姿勢を保持しつつ、ブレイド５の両水受部１４ａ，１４ｂを水面上に位置付けた状態となる。この時、図４の（ｂ）に示すように、ブレイド５の両水受部１４ａ，１４ｂに水流抵抗を受けていない状態になるので、ブレイド５の回転により発生する上側アーム３の外方（上方）へ働く遠心力（図中、矢印Ｙにて示す。）によって後方軸受片１７の先端部１７ｂ内壁が上側アーム３に接触するまで後方軸受片１７が大径球状ビーズ７表面を摺動すると共に、後方軸受片１７が羽根部１５に対して後方へ傾斜して立設されているため、後方軸受片１７の傾斜幅Ｖだけブレイド５全体が上側アーム３の軸線方向に対して前方へ滑動し、上側アーム３の軸部１２が後方軸受片１７の先端部１７ｂ側に位置付けられてブレイド５が上側アーム３の軸線に対して偏心する。また、ブレイド５が滑動する際には、ブレイド５の前方軸受片１６及び後方軸受片１７と上側アーム３が擦れ合うため、接触音が生じる。
【００２３】
さらに、ブレイド５が回転すると、バズベイトルアー１は、図３の（ｃ）に示すように、前記泳動姿勢を保持しつつ、ブレイド５の他方の水受部１４ａを水面下に沈めた状態となる。この時、図４の（ａ）に示すように、ブレイド５の水受部１４ａに水流抵抗（図中、矢印Ｘにて示す。）を受けるため、前記図３の（ａ）に示す状態と同様に、上側アーム３の軸部１２が後方軸受片１７の元端部１７ａ側に位置付けられる。
【００２４】
次に、水受部１４ａが水流抵抗を受け流すことによりブレイド５が回転するため、バズベイトルアー１は、図３の（ｄ）に示すように、前記泳動姿勢を保持しつつ、ブレイド５の両水受部１４ａ，１４ｂを水面上に位置付けた状態となる。この時、図４の（ｃ）に示すように、ブレイド５の両水受部１４ａ，１４ｂに水流抵抗を受けていない状態になるので、ブレイド５の回転によって発生する上側アーム３の外方（下方）へ働く遠心力（図中、矢印Ｚにて示す。）により、後方軸受片１７の先端部１７ｂ内壁が上側アームに接触するまで後方軸受片１７が大径球状ビーズ７表面を摺動すると共に、後方軸受片１７が羽根部１５に対して後方へ傾斜して立設されているため、後方軸受片の傾斜幅Ｖだけブレイド５全体が上側アーム３の軸線方向に対して前方へ滑動し、上側アーム３の軸部１２が後方軸受片１７の先端部１７ｂ側に位置付けられてブレイド５が上側アーム３の軸線に対して偏心する。また、ブレイド５が滑動する際には、ブレイド５の前方軸受片１６及び後方軸受片１７と上側アーム３が擦れ合うため、接触音が生じる。
【００２５】
さらに、ブレイド５が回転すると、バズベイトルアー１は、再び図３の（ａ）に示す泳動状態となり、以後、前記各泳動状態を順次繰り返しながら水面付近を泳動する。
【００２６】
本実施の形態によれば、後方軸受片１７を羽根部１５に対して後方へ傾斜して立設させると共に、後方軸受片１７の貫通孔１７を略楕円形状に形成したので、ブレイド５のいずれか一方の水受部１４ａ，１４ｂに水流抵抗が働く毎に、ブレイド５が上側アーム３の軸線方向に対して後方へ滑動し、ブレイド５の両水受部１４ａ，１４ｂに水流抵抗が働かなくなる毎に、ブレイド５が上側アーム３の軸線方向に対して前方へ滑動してブレイド５の前方軸受片１６及び後方軸受片１７と上側アーム３との間で激しい接触音が発生し、魚の注意を引き付けることができる。
【００２７】
また、ブレイド５のいずれか一方の水受部１４ａ，１４ｂが水面下に沈み、該水受部１４ａ，１４ｂに水流抵抗を受けている状態にあっては、上側アーム３の軸部１２が後方軸受片１７の元端部１７ａ側に位置付けられ、ブレイド５は上側アーム３の軸部１２に対して偏心することなくスムーズに回転する。
【００２８】
さらに、ブレイド５の両水受部１４ａ，１４ｂが水面上に位置づけられ、ブレイド５の両水受部１４ａ，１４ｂに水流抵抗を受けていない状態にあっては、上側アーム３の軸部１２が後方軸受片１７の先端部１７ｂ側に位置付けられてブレイド５が上側アーム３の軸線に対し偏心を繰り返して振れるため、該ブレイド５の振動が上側アーム３と下側アーム４とを介して下側アーム４に固着された小魚状錘８に伝わり、小魚状錘８をよりリアルに動かすことができる。
【００２９】
また、本実施の形態においては、ブレイド５の後方に位置付けて上側アーム３に軸着されるビーズ７を球状にしたので、ブレイド５の後方軸受片１７がビーズ７表面を容易に摺動することができ、ブレイド５の回転及び滑動がよりスムーズに行われる。
【００３０】
なお、前記後方軸受片１７の傾斜角θは、５°〜３０°の間で選択するればよく、好ましくは１０°前後がよい。
【００３１】
また、後方軸受片１７の傾斜角θを大きくすると、これに伴って後方軸受片１７の傾斜幅Ｖも大きくなるため、ブレイド５全体が上側アーム３の軸線方向に対して前後により大きく滑動し、ブレイド５と上側アーム３との間でより激しい接触音を発生させることができる。
【００３２】
実施の形態２．
【００３３】
図５は本実施の形態に係るバズベイトルアーを示した側面図であり、図６は図５に示すバズベイトルアーのブレイドを示した図であり、図６の（ａ）はブレイドを示した背面図であり、図６の（ｂ）はブレイドを示した側面図であり、図７は図５に示すバズベイトルアーの水面付近での泳動姿勢を示した側面図であり、これらの図において、図１〜図４と同一符号は同一又は相当部分を示しており、２３は、先端部に形成された釣糸を結び付けるリング状釣糸結着部２４と、該釣糸結着部２４から後方へ伸びるアーム２５と、該アーム２５に回動可能に軸着されたブレイド２６と、該ブレイド２６の後方に位置付けて該アーム２５の軸線方向に対して滑動可能に軸着された２つの球状ビーズ７，７と、該アーム２５の後端部に固着された小魚状錘８と、該錘８の後端部に連結されるフック９と、該錘８の後部に装着されるスカート１０とからなるバズベイトルアーである。
【００３４】
前記ブレイド２６は、図６の（ａ）及び図６の（ｂ）に示すように、水受部１４ａ，１４ｂを有する羽根部１５と、該羽根部１５の先端部表面側（図６の（ａ）において上側）に立設された前方軸受片２７と、該羽根部１５の水受部１４ａ，１４ｂに挟まれる後端部表面側に立設された後方軸受片２８とからなり、前記前方軸受片２７は、羽根部１５に対して垂直に立設されていると共に、前記アーム２５が通る貫通孔１８が真円形状に形成されており、前記後方軸受片２８は、羽根部１５に対して垂直に立設した状態から傾斜角θ（図６の（ｂ）参照）で後方へ傾斜した状態で立設されていると共に、前記アーム２５が通る貫通孔１９が後方軸受片２８の元端部２８ａから先端部２８ｂへ伸びる略楕円形状に形成されている。そして、ブレイド２６は、羽根部１５に立設された前方軸受片２７と後方軸受片２８とに該アーム２５を通して該アーム２５の軸線方向に対して滑動可能に軸着されており、前記釣糸結着部２４によって前方への滑動が規制されていると共に、前記錘８により後方への滑動が規制された前記球状ビーズ７，７によって後方への滑動が規制されている。
【００３５】
本実施の形態に係るバズベイトルアー２３を水面付近で泳動させると、図７に示すように、バズベイトルアー２３は、アーム２５の後端部に固着された錘８を水面下に位置付け、アーム２５に軸着されたブレイド２６を水面上に突出させた泳動姿勢をとり、ブレイド２６の水受部１４ａ，１４ｂを交互に水面下に沈めながらブレイド２６を回転させる。
【００３６】
従って、本実施の形態に係るバズベイトルアーにおいても、前記実施の形態１と同様の作用・効果を得ることができる。
【００３７】
【発明の効果】
本発明によれば、バズベイトルアーを水面付近で泳動させてブレイドが回転すると、該ブレイドに水流抵抗を受けていない状態にあっては当該ブレイドがアームの軸線に対し偏心を繰り返して振れながら回転するから、振動や激しい音が発生し、高い集魚効果を発揮することができるにもかかわらず、該ブレイドに水流抵抗を受けている状態にあっては当該ブレイドがアームの軸線に対し偏心せずにスムーズに回転する。
【００３８】
従って、本発明の産業上利用性は非常に高いといえる。
【図面の簡単な説明】
【図１】実施の形態１に係るバズベイトルアーを示した側面図である。
【図２】図１に示すバズベイトルアーのブレイドを示した図である。
【図３】図１に示すバズベイトルアーの各泳動状態を示した説明図である。
【図４】図３に示すバズベイトルアーの各泳動状態におけるブレイドとアームとの位置関係を示した部分拡大断面図である。
【図５】実施の形態２に係るバズベイトルアーを示した側面図である。
【図６】図５に示すバズベイトルアーのブレイドを示した図である。
【図７】図５に示すバズベイトルアーの泳動姿勢を示した側面図である。
【図８】従来のバズベイトルアーを示した側面図である。
【図９】図８に示すバズベイトルアーのブレイドを示した図である。
【符号の説明】
１  バズベイトルアー
２  釣糸結着部
３  上側アーム
４  下側アーム
５  ブレイド
６  小径球状ビーズ
７  大径球状ビーズ
８  錘
９  フック
１０  スカート
１１  傾斜部
１２  軸部
１３  後止部
１４ａ，１４ｂ  水受部
１５  羽根部
１６  前方軸受片
１７  後方軸受片
１７ａ  元端部
１７ｂ  先端部
１８，１９，２０  貫通孔
２１，２２  アームガイド溝
１０１  バズベイトルアー
１０２  釣糸結着部
１０３  上側アーム
１０４  下側アーム
１０５  ブレイド
１０６  錘
１０７  フック
１０８  羽根部
１０９  前方軸受片
１１０  後方軸受片
１１１，１１２  貫通孔
【図１】
0004660809.tif 000002
【図２】
0004660809.tif 000003
【図３】
0004660809.tif 000004
【図４】
0004660809.tif 000005
【図５】
0004660809.tif 000006
【図６】
0004660809.tif 000007
【図７】
0004660809.tif 000008
【図８】
0004660809.tif 000009
【図９】
0004660809.tif 000010